(57)【要約】      （修正有）【課題】ケースの収容槽の中に工具を吸着ポジショニングして、携帯時に勝手に揺れないように最適な状態にマルチアングルの微調整ができる工具収納ケース構造を提供する。【解決手段】ベース１０、ケース２０及び吸着部品３０を含み、ベースは長いプレート状であり、前の両側にはブラケット１２が設置され、ブラケットの端面にはレールが設置され、レールのボトムエンドには調整エリアが設置され、ケースには収容槽が設置され、工具が順次に配列されて収納され、左右両外側には調整ブロックがベースの調整エリアと嵌め合うように対称設置されて、角度調整とポジショニングができる。調整ブロックは収容槽の左右両外側の後下方コーナーに位置し、ケースとベースが回転空間を持ち、調整ブロックが調整エリアに沿って回転移動して、アングル微調整とアングルポジショニング機能を具備する。吸着部品は磁石であり、マルチアングルの微調整ができる。【選択図】図１２
0003224163.tif 000002
【実用新案登録請求の範囲】
【請求項１】
ベース、ケース及び吸着部品を含み、そのうち、ベースは長いプレート状であり、前の両
側にはブラケットが対称に突出設置され、ブラケットの内側面後下方には合せ穴が設置さ
れ、合せ穴の外周には調整エリアが設置され、ケースには高から低へと収容槽が漸次に低
く設置され、収容槽の左右両外側には枢穴の調整エリアとベースの調整エリアが対称に設
置されるとともに、ポジショニング部品がベースの合せ穴とケースの枢穴を通り抜けるよ
うに設置され、ケースがポジショニング部品を沿って角度調整及びポジショニングできる
ようにし、当該枢穴は収容槽の左右両外側の後下方コーナーに位置し、ケースとベースの
間に回転空間を持つようにして、ケースの調整エリアがベースの調整エリアを沿って回転
しながらロック・ポジショニングできるようにして、アングル微調整及びアングルポジシ
ョニング機能を具備させる、マルチアングル微調整ができる工具収納ケース構造。
【請求項２】
ベースは金属材料であり、ベース背面には１個以上の磁石の吸着ブロックが吸着される、
請求項１に記載のマルチアングル微調整ができる工具収納ケース構造。
【請求項３】
ポジショニング部品にはオネジ区切り及びサポート区切りが設置され、ベースの合せ穴に
はメネジが設置される、請求項１に記載のマルチアングル微調整ができる工具収納ケース
構造。
【請求項４】
ベースとケースの調整エリアには幾つかの扇形のブロックが環状・放射状に設置され、個
々のブロックの間隔にはポジショニング空間が設置され、当該調整エリアは収容槽の左右
両外側の後下方コーナーに位置する、請求項１に記載のマルチアングル微調整ができる工
具収納ケース構造。
【請求項５】
ケースの収容槽は高から低へと漸次に低くなる、請求項１に記載のマルチアングル微調整
ができる工具収納ケース構造。
【請求項６】
ケースは金属材料と磁石の吸着部品が嵌め合って構成される、請求項１に記載のマルチア
ングル微調整ができる工具収納ケース構造。
【請求項７】
ケースの収容槽は工具のサイズによって、漸次に縮小する形状にすることができる、請求
項１に記載のマルチアングル微調整ができる工具収納ケース構造。
【請求項８】
ケースの収容槽の外側面には収容しようとする工具のサイズをマーキングすることができ
る、請求項１に記載のマルチアングル微調整ができる工具収納ケース構造。
【請求項９】
ベース、ケース及び吸着部品を含み、そのうち、ベースは長いプレート状であり、前の両
側にはブラケットが設置され、ブラケットの端面にはレールが設置され、レールのボトム
エンドには調整エリアが設置され、ケースには収容槽が設置され、工具が順次に配列され
て収納されるようにし、左右両外側には調整ブロックとベースの調整エリアが嵌め合うよ
うに対称に設置されて、角度調整及びポジショニングをすることができ、当該調整ブロッ
クは収容槽の左右両外側の後下方コーナーに位置し、ケースとベースが回転空間を持つよ
うにして、ケースの調整ブロックがベースの調整エリアに沿って回転移動するとともに、
ロック・ポジショニングできるようにして、アングル微調整及びアングルポジショニング
機能を具備させる、マルチアングル微調整ができる工具収納ケース構造。
【請求項１０】
ベースは金属材料であり、ベース背面には１個以上の磁石の吸着ブロックが吸着される、
請求項９に記載のマルチアングル微調整ができる工具収納ケース構造。
【請求項１１】
ベースのレールは斜めになっている、請求項９に記載のマルチアングル微調整ができる工
具収納ケース構造。
【請求項１２】
ベースの調整エリアケースの調整ブロックは円形の鋸歯状である、請求項９に記載のマル
チアングル微調整ができる工具収納ケース構造。
【請求項１３】
ケースの収容槽は高から低へと漸次に低くなる、請求項９に記載のマルチアングル微調整
ができる工具収納ケース構造。
【請求項１４】
ケースの収容槽の背面の一側には押付エリアが突出設置される、請求項９に記載のマルチ
アングル微調整ができる工具収納ケース構造。
【請求項１５】
ケースは金属材料と磁石の吸着部品が嵌め合って構成される、請求項９に記載のマルチア
ングル微調整ができる工具収納ケース構造。
【請求項１６】
ケースの収容槽は工具のサイズによって、漸次に縮小する形状にすることができる、請求
項９に記載のマルチアングル微調整ができる工具収納ケース構造。
【請求項１７】
ケースの収容槽の外側面には収容しようとする工具のサイズをマーキングすることがで
きる、請求項１に記載のマルチアングル微調整ができる工具収納ケース構造。
【考案の詳細な説明】
【技術分野】
【０００１】
本新案はマルチアングルの微調整ができる工具収納ケース構造に関するものであり、各種
サイズの手工具ソケットを提供して、きちんと配列且つ収納できるようにする。
【背景技術】
【０００２】
目下、市販の工具収納ケースから見れば、その大部はソケットやラチェットレンチ、ドラ
イバヘッド、六角カムなどの手工具を組・セット別方式で収納ケースの中に入れて収納す
るので、工具の種類が多過ぎで、所要の手工具を直ちに取り出すことができず、苦労をし
て探したのみ、適正な工具を探し出すことができ、携帯上にも大きな空間を占めるし、重
たくて、使用上にも不便である。また、販売上にも、組・セット別に部品を買わなければ
ならないため、経済的でなく、一旦単一部品の手工具を買って使用すると、しばしば収納
工具が不足して作業台に勝手に置きっ放しにする現象が発生し、仕事の現場がメチャクチ
ャになり、仕事上いつも手工具を探す状態になり、仕事の能率を大きく低下させる。
【０００３】
本考案者は上記マルチアングルの微調整ができる工具収納ケース構造デザイン及び使用上
の欠点などを考案の趣旨として、多年間の経験を生かしてデザインし、多くの検討及び多
くの修正・改良を重ねて、本考案を提出した。
【考案の概要】
【考案が解決しようとする課題】
【０００４】
本考案の主要課題：マルチアングル微調整ができる工具収納ケース構造を提供し、ケース
の調整ブロックが左右両外側の後下コーナーに位置させて、ベースの調整エリアに収容さ
せるデザインを利用して、ケースとベースの間に回転可能な空間を維持させて、使用者が
容易にケースを引き寄せる時に、調整ブロックは調整エリアの引き寄せ力の大きさによっ
て回転移動されるとともに、ロック・ポジショニングされ、当該収納ケースにアングル微
調整及びアングルポジショニング機能を具備させる。
【０００５】
本考案の副次的課題：マルチアングル微調整ができる工具収納ケース構造を提供し、特に
そのケースがベースと垂直する角度まで回る時に、ベースを水平でいずれかのプラットホ
ーム又は工具ボックス中に入れることができ、ケースは安定的に９０°を維持して、使用
者が収容槽中の工具を取るようにして、使用上より円滑・容易・快速になり、探す時間を
短縮して、仕事の能率を向上することができる。
【０００６】
本考案のまた一つの課題：マルチアングル微調整ができる工具収納ケース構造を提供し、
ケースの収容槽中に吸着部品及びベースの背面にも吸着ブロックを設置され、ソケットが
サイズの大きさ順に収容槽中に配列且つ入れられ、吸着部品の磁力によって吸着されてポ
ジショニングされ、携帯上いかなる揺れも発生せず、最適な安定性を達成することができ
、ベースの背面の吸着ブロックを利用して直接金属作業台又は金属展示フレーム上に吸着
させることによって、収容槽内の工具が落ちないようにし、さらに、各場所における全方
位的円滑で使用上制限を受けず、消費者の購入上にも組・セット別に部品を用意する悩み
をなくすので、もっと強い市場競争力を有する。
【図面の簡単な説明】
【０００７】
【図１】本考案の立体分解図である。
【図２】本考案の立体組立図である。
【図３】本考案ケースの回転ポジショニングが傾斜角になっている略図である。
【図４】本考案ケースの回転ポジショニングがベースと垂直状態になっている時の図２である。
【図５】本考案附帯の工具ボックス及びソケットを収容する使用状態を示した略図である。
【図６】図５の他の使用状態を示した略図である。
【図７】本考案が作業台に使用される状態を示した略図である。
【図８】本考案の他のケース立体図である。
【図９】図８のケースにベースを附帯した立体組立図である。
【図１０】本考案のもう一つの立体分解図である。
【図１１】図１０の立体組立図である。
【図１２】本考案のまた一つの立体分解図である。
【考案を実施するための形態】
【０００８】
貴審査委員会に本考案の構造と技術特徴及び達成できる効能をご理解させるために、次で
は図面及び部品記号に結合して、本考案の最良の形態について、さらに詳しく説明する。
【０００９】
図１のとおり、ベース１０、ケース２０及び吸着部品３０を含み、そのうち、ベース１０
は長いプレート状の金属材料であり、ベースの背面には１個以上の磁石からなる吸着ブロ
ック１１が吸着され、前の両側にはブラケット１２が対称に突出設置され、ブラケット１
２の端面には斜めにレール１３が設置され、レール１３のボトムエンドには円形鋸歯状の
調整エリア１４が設置され、ケース２０には高から低へと漸次に低くなる収容槽２１が設
置され、収容槽２１の背面の一側には押付エリア２２が突出設置され、左右両外側には円
形鋸歯状の調整ブロック２３が対称に設置され、ベース１０の調整エリア１４と嵌め合い
、当該調整ブロック２３は収容槽２１の左右両外側の後下コーナーに位置し、当該ケース
２０は金属材料とし、吸着部品３０は磁石であり、ケース２０の収容槽２１に比べてやや
小さい長いプレート状とする。
【００１０】
これを組立（図２を参照）ようとする場合には、ケース２０の調整ブロック２３をベース
１０のレール１３に沿って調整エリア１４入れるだけで両ブラケット１２の間にポジショ
ニングされ、さらに吸着部品３０を収容槽２１の中にいれて吸着ポジショニングさせるこ
とによって、手軽且つ速やかに組み立てられ、この時、調整ブロック２３（図３を参照）
が左右両側後下コーナーに位置するデザインを利用して、ケース２０とベース１０との間
に回転空間を持たせ、使用者が押付エリア２２でケース２０を前に引き寄せると、調整ブ
ロック２３の歯車は調整エリア１４の歯車引寄せ力の大きさによって、回転移動されると
ともに、ロック・ポジショニングされ、ケース２０にアングル微調整及びアングルポジシ
ョニン機能を具備させて、ケース２０がベース１０と垂直（図４及び図５を参照）する時
に、ベース１０を水平でいずれかの工具ボックスＡに入れることができ、ケース２０を９
０°に維持させて、ソケットＢをサイズの大きさ順に収容槽２１の中に入れるとともに、
吸着部品３０の磁力よって吸着ポジショニングされ、携帯上に任意揺れを防げる最適な安
定性目的を達成でき、工具を取る場合にも、もっと手軽且つ速やかに探すための時間を節
減し、仕事の能率を向上することができ、工具ボックスＡの蓋を閉めたい時には、ケース
２０（図６を参照）をベース１０方向に押して水平状態にした後、工具ボックスＡがソケ
ットＢ高さの影響を受けずに順調に収納されて最適な使用状態にすることができ、当該収
納ケースを金属作業台Ｃ（図７を参照）に使用又は金属展示フレーム上に展示したい時に
は、ベース１０背面の吸着ブロック１１を利用して金属作業台Ｃ又は金属展示フレーム上
に直接付着させて、ベース１０を手軽に作業台Ｃ上に付着させてケース２０の収容槽２１
中のソケットＡが吸着部品３０の磁力に吸着されて落ちなくなり、さらに、各場所におけ
る全方位的円滑で使用上制限を受けず、消費者の購入上にも組・セット別に部品を用意す
る悩みをなくすので、もっと強い市場競争力を有する。
【００１１】
図８及び図９のとおり、そのうち、ケース２０の収容槽２１はソケットＡのサイズによっ
て、漸次縮小する形状にすることでき、個々のソケットＡが収容槽２１の中にちょうど入
れるようにする。
【００１２】
図１０及び図１１のとおり、そのうち、ケース２０の収容槽２１の外側に収容しようとす
る工具（例えばソケットＡ）のサイズをマーキングして認識及び収納させることができ、
使用者がより速やかに工具を取り、マークの表示によって工具（例えばソケットＡ）を収
納することができる。
【００１３】
図１２のとおり、ベース１０、ケース２０及び吸着部品３０を含み、そのうち、ベース１
０は長いプレート状の金属材料であり、ベースの背面には１個以上の磁石からなる吸着ブ
ロック１１が吸着され、前の両側にはブラケット１２が対称に突出設置され、ブラケット
１２の内側面後下方にはメネジ１３１′の合せ穴１３′が設置され、合せ穴１３′の外周
には調整エリア１４が設置され、ケース２０には高から低へと漸次に低くなる収容槽２１
が設置され、収容槽２１の左右両外側には枢穴２２′の調整エリア２３′が対称に設置さ
れ、ベース１０の調整エリア１４′と嵌め合い、当該ベース１０とケース２０の調整エリ
ア１４′、２３′には、幾つかの扇形のブロック１４１′、２３１′が環状・放射状に設
置され、個々のブロック１４１′、２３１′の間隔によって一定のポジショニング空間１
４２′、２３２′が形成され、当該調整エリア２３′の枢穴２２′は収容槽２１の左右両
外側の後下方コーナーに位置し、ベース１０の個々のブロック１４１′がケース２０のポ
ジショニング空間２３２′の間にちょうど入れるようにし、ケース２０のブロック２３１
′は、ベース１０のポジショニング空間１４２′の中にロッキングされ、オネジ区切り４
１及びサポート区切り４２を有するポジショニング部品４０がベース１０の合せ穴１３′
及びケース２０の枢穴２２′を通り抜けるように設置され、さらに、オネジ区切り４１を
メネジ区切り１３１′に締め付け固定し、ケース２０がポジショニング部品２０のサポー
ト区切り４２を通じて、枢穴２２′を通り抜けてベース１０の両ブラケット１２の間にリ
ミッティングさせ、当該ケース２０は金属材料であり、吸着部品３０は磁石且つケース２
０の収容槽２１に比べてやや小さい長いプレート状にして、角度を調整したい場合には、
ケース２０の枢穴２２′を押してサポート区切り４２に沿って回転させると、ケース２０
のブロック２３１′は押力を受ける方向上でベース１０のブロック１４１′を押し付けて
、他のポジショニング空間１４２′中にジャンピングするようにさせて、手軽にケース２
０角度のマルチアングル微調整の目的を達成する。
【００１４】
要するに、本考案は産業上の利用性と進歩性を有するとともに、いかなる刊行物にも登載
されていないので、斬新性もあり、特許法の規定を満たすと認められ、法律によって実用
新案の特許出願をするので、貴審査委員会により特許を許可してくださいますようお願い
申し上げます。
【００１５】
上記内容は本考案の実施可能な実施例に過ぎず、本考案の実施範囲を制限するものではな
い。本考案の請求範囲に基づいて等価変動と修飾そたものは、いずれも本考案の特許請求
の範囲に属する。
【符号の説明】
【００１６】
１０  ベース
１１  吸着ブロック
１２  ブラケット
１３  レール
１３′レール
１３１′  メネジ
１４１  調整エリア
１４′  調整エリア
１４１′  ブロック
１４２′  ポジショニング空間
２０  ケース
２１  収容槽
２２  押付エリア
２２′  枢穴
２３  調整ブロック
２３′  調整エリア
２３１′  ブロック
２３２′  ポジショニング空間
３０  吸着部品
Ａ  ソケット
Ｂ  工具ボックス
Ｃ  金属作業台
【図１】
0003224163.tif 000003
【図２】
0003224163.tif 000004
【図３】
0003224163.tif 000005
【図４】
0003224163.tif 000006
【図５】
0003224163.tif 000007
【図６】
0003224163.tif 000008
【図７】
0003224163.tif 000009
【図８】
0003224163.tif 000010
【図９】
0003224163.tif 000011
【図１０】
0003224163.tif 000012
【図１１】
0003224163.tif 000013
【図１２】
0003224163.tif 000014